(57)【特許請求の範囲】
【請求項１】
放水口を有するヘッド本体と、前記ヘッド本体に接続される筒状のフレームとを備えたスプリンクラヘッドにおいて、
前記フレームに接続されるとともにヘッド取り付け配管に接続されるアダプタと、
前記アダプタと前記フレームとの接続部に形成され、前記スプリンクラヘッドの下端の垂直方向の位置を調整する調整手段と、
を備え、
前記フレームは、
その下部に溝部が形成され、
前記溝部に、取り付け穴との隙間を覆うようにして取り付けられたシーリングプレート又は前記スプリンクラヘッドの下部を覆うようにして取り付けられた保護キャップが係止され、
前記シーリングプレート又は前記保護キャップを回動させると、前記フレームも連動して回転し、前記スプリンクラヘッドの垂直方向の位置が調整されることを特徴とするスプリンクラヘッド。
【請求項２】
前記アダプタの内周部と前記ヘッド本体の外周部に、前記ヘッド本体が下方に抜けるのを防止する抜け防止機構を設けたことを特徴とする請求項１に記載のスプリンクラヘッド。
【請求項３】
放水口を有するヘッド本体と、前記ヘッド本体に接続される筒状のフレームとを備えたスプリンクラヘッドにおいて、
前記ヘッド本体に接続されるとともにヘッド取り付け配管に接続されるアダプタと、
前記アダプタと前記ヘッド本体との接続部に形成され、前記スプリンクラヘッドの下端の垂直方向の位置を調整する調整手段と
を備え、
前記ヘッド本体が回動することにより前記垂直方向の位置が調整されることを特徴とするスプリンクラヘッド。
【発明の詳細な説明】
【技術分野】
【０００１】
本発明は、スプリンクラヘッドに関する。
【背景技術】
【０００２】
従来のスプリンクラヘッドには、その取り付け構造として、例えば「天井内に配管したスプリンクラー設備用の管の先端に継手を介してスプリンクラヘッドを接続し、前記継手を床スラブの下面に垂下した吊りボルトに上下位置調節自在に取り付け、スプリンクラヘッドを天井面から室内に突出させてある…」というものが提案されている（例えば特許文献１参照）。
【先行技術文献】
【特許文献】
【０００３】
【特許文献１】特開平１１−１５１３１９号公報
【発明の概要】
【発明が解決しようとする課題】
【０００４】
上記の特許文献１に記載のものは、配管（スプリンクラヘッドが接続される継手）の高さを調整することができ、それによりスプリンクラヘッドの垂直方向の位置を調整することができる。しかしながら、その調整作業は屋根裏(天井裏）で行わなければならず、その作業性が悪いという課題があった。
【０００５】
本発明は、上記の課題を解決するためになされたものであり、垂直方向の位置調整の作業性に優れたスプリンクラヘッドを提供することを目的とする。
【課題を解決するための手段】
【０００６】
本発明に係るスプリンクラヘッドは、放水口を有するヘッド本体と、前記ヘッド本体に接続される筒状のフレームとを備えたスプリンクラヘッドにおいて、前記フレームに接続されるとともにヘッド取付配管に接続されるアダプタと、前記アダプタと前記フレームとの接続部に形成され、前記スプリンクラヘッドの下端の垂直方向の位置を調整する調整手段と、を備え、前記フレームは、その下部に溝部が形成され、前記溝部に、取り付け穴との隙間を覆うようにして取り付けられたシーリングプレート又は前記スプリンクラヘッドの下部を覆うようにして取り付けられた保護キャップが係止され、前記シーリングプレート又は前記保護キャップを回動させると、前記フレームも連動して回転し、前記スプリンクラヘッドの垂直方向の位置が調整される。
本発明に係るスプリンクラヘッドにおいて、前記アダプタの内周部と前記ヘッド本体の外周部に、前記ヘッド本体が下方に抜けるのを防止する抜け防止機構を設ける。
【発明の効果】
【０００７】
本発明によれば、上記の構成を備え、フレームを回動させることにより前記垂直方向の位置が調整されるので、垂直方向の位置調整の作業性に優れたスプリンクラヘッドが得られる。
【図面の簡単な説明】
【０００８】
【図１】本発明の実施形態１に係るスプリンクラヘッドの一部縦断面図である。
【図２】図１の調整手段の動作説明図である。
【図３】図１のスプリンクラヘッドをヘッド取付配管に取り付けた状態の説明図である。
【図４】ヘッド本体、フレーム及びアダプタの相互の関係を詳細に示した図である。
【図５】ヘッド本体をアダプタに装着するときの動作説明図である。
【図６】ヘッド本体（フレーム）がアダプタに対して下降するときの動作説明図である。
【図７】スプリンクラヘッドの取り付け方法の説明図である。
【発明を実施するための形態】
【０００９】
図１は、本発明の実施形態１に係るスプリンクラヘッドの一部縦断面図である。
このスプリンクラヘッド１は、内部に放水口を有するヘッド本体１０、ヘッド本体１０に接続される円筒状のフレーム２０、放水口を塞ぐ弁体３０、散水部４０及び弁体支持機構５０を備えており、弁体支持機構５０は感熱部５１を備えている。これらの構成は本発明の前提となるものであるが、本発明の出願前公知でありその詳細は省略し、本実施の形態の特徴部分を中心に説明する。
図１のスプリンクラヘッド１は、上部にアダプタ１００を更に備えている。アダプタ１００は、全体として２段の円筒形状をなしており、上部の径は下部の径よりも小さくなっている。そして、アダプタ１００の下部の内径は、フレーム２０の外径とほぼ同一になっており、アダプタ１００の上部の内径は本体１０の放水口の外径とほぼ同一になっている。また、アダプタ１００の最大の外径は、スプリンクラヘッド１の最大の外径（ヘッド本体１０の外径又はフレーム２０の外径）より大きく形成される。それにより、アダプタ１００は、ヘッド本体１０及びフレーム２０の一部を覆うようにして設けられる。ヘッド本体１０の上部外周には環状溝が形成され、その溝内にＯリング１１０が設けられており、ヘッド本体１０とアダプタ１００の間を止水している。さらに、ヘッド本体１０の上部外周には、Ｏリング１１０が設けられる環状溝より下部にも環状溝が形成され、そこには外側に拡がるように付勢されたバネ材であるＣリング１１１が設けられている。また、アダプタ１００の下端側の内周壁には雌ネジ１０１が形成されており、この雌ネジ１０１はフレーム２０の全外周壁に形成された雄ネジ２１と係合して、アダプタ１００とフレーム２０とが結合している。アダプタ１００の雌ネジ１０１とフレーム２０の雄ネジ２１とが本発明の調整手段１０２を構成している。なお、雌ネジ１０１は、ネジを形成する長さを減らすために、アダプタ１００の下端から内側に水平方向に突出している突出部に設けられているが、アダプタ１００の下部内周面全体に雌ネジを形成し、突出部をなくしても良い。また、フレーム２０に形成される雄ネジ２１は、フレーム２０の全外周壁ではなく、一部の外周壁でも良い。同様に、アダプタ１００の雌ネジ１０１も全外周壁ではなく、一部の外周壁で足りる。また、他の調整手段１０２の構成としては、アダプタ１００の上部内壁に雌ネジを有し、ヘッド本体１０のフランジより上部に雄ネジを有し、ヘッド本体１０とアダプタ１００の小径部である上部とを螺合することも可能である。
【００１０】
アダプタ１００の小径部である上部の高さは、少なくともヘッド本体１０のフランジ部より上側の高さよりも大きい。より詳細には、ヘッド本体１０のフランジ部上面とアダプタ１００のフランジ部下面（内壁）とが当接する状態において、本体１０の上部に設けられたＯリング１１０がアダプタ１００の上端より上方に位置しないようになっている。
また、アダプタ１００の大径部である下部は、Ｃリング１１１が後述するアダプタ１００の内壁に設けられる溝部１１２に嵌合した状態において、アダプタ１００の下端の突出部が少なくともフレーム２０の上端で係合するような高さになっている。
【００１１】
アダプタ１００の上部の外周には、後述するヘッド取付配管２００に接続するための雄ネジ部が形成されている。
一方、アダプタ１００の下部は最大の外径になるように形成されており、かつ、アダプタ１００の下部の外周には縦溝が複数、例えば４箇所設けられているので、その縦溝に嵌合させて回転させる専用の治具を用いることで、後述するヘッド取付配管２００にアダプタ１００を容易に取り付けることができる。
【００１２】
図２は、図１の調整手段１０２の動作説明図である。
スプリンクラヘッド１は、図２に示されるように、アダプタ１００の雌ネジ１０１とフレーム２０の雄ネジ２１との係合状態により（係合位置の調整により）、最短状態（左側）から最長状態（右側）まで垂直方向の位置を調整することが可能になっている。最短状態には、フレーム２０の上端がアダプタ１００の下部（大径部）の内壁正面に当接した場合になる。一方、最長状態には、後述するように、ヘッド本体１０に設けたＣリング１１１と、アダプタ１００の溝１１２とが嵌合した場合になる。
【００１３】
図３（Ａ）〜（Ｃ）は、図１のスプリンクラヘッド１をヘッド取付配管２００に取り付けた状態の説明図である。ヘッド取付配管２００の設置高さは、現場の状況等で変わる場合があり、ヘッド取付配管２００の設置高さが、（Ａ）は標準的に設置された場合であり、（Ｂ）は標準よりも下方に設置された場合であり、（Ｃ）は標準よりも上方に設置された場合である。
アダプタ１００上部の小径部はヘッド取付配管２００に接続されており、また、スプリンクラヘッド１と天井に形成されたヘッド取付穴との隙間を覆うようにしてシーリングプレート１２０がフレーム２０に取り付けられている。フレーム２０の下部には、その縦方向に溝（キー溝）２２が形成されており、シーリングプレート１２０の円筒部内側に形成された突起部１２１がその溝２２に係合している。
ヘッド取付配管２００の下端の位置が、図３（Ａ）〜（Ｃ）に示されるように相違していても、アダプタ１００の雌ネジ１０１とフレーム２０の雄ネジ２１との係合状態により（係合位置の調整により）、スプリンクラヘッド１を最適な位置に、例えば天井面１３０とほぼ面一にスプリンクラヘッド１を取り付けることができる。
【００１４】
図４は、上記のヘッド本体１０、フレーム２０及びアダプタ１００の相互の関係を詳細に示した図である。
スプリンクラヘッド１の垂直方向の位置は上記のように調整されるが、その調整に際しては、ヘッド本体１０の外周部はアダプタ１００の小径部である上部内周壁を摺動することになる。しかし、両者は密構造にする必要があるため、ヘッド本体１０の外周部に周方向に溝を形成してＯリング１１０を嵌め込んでいる。更に、ヘッド本体１０の脱落防止のために、ヘッド本体１０の外周部に周方向に溝を形成してＣリング１１１を嵌め込むとともに、アダプタ１００の内周部に溝１１２が形成されている。このアダプタ１００の溝１１２は、下辺部１１２ａは外周方向に真っ直ぐ延びており、上辺部１１２ｂは上方に斜めに延びている（図６参照）。また、アダプタ１００の上部の下端内壁においては内周部に傾斜部１１３が形成されている。なお、Ｃリング１１１はＯリング１１０よりも下方（感熱部５１側）に設けられており、Ｏリング１１０はヘッド本体１０の放水口の上端付近にある。
【００１５】
図５は、ヘッド本体１０をアダプタ１００に装着するときの説明図である。
図５に示されるように、ヘッド本体１０は、Ｏリング１１０及びＣリング１１１が取り付けられた状態で、アダプタ１００の傾斜部１１３及び溝１１２を径由して上方に摺動されながら装着される。具体的には、ヘッド本体１０を上方に摺動させると、Ｃリング１１１は傾斜部１１３に接触し、傾斜部１１３にガイドされながら内側に移動する（小径になる）。このように、Ｃリング１１１を溝部１１２へガイドして摺動しやすいように傾斜部１１３があり、Ｃリング１１１が溝部１１２を超えて上方へ摺動しやすいように上辺部１１２ｂがある。
【００１６】
図６（Ａ）〜（Ｃ）は、ヘッド本体１０（フレーム）がアダプタ１００に対して下降するときの動作説明図である。ヘッド本体１０（フレーム２０）がアダプタ１００に対して下降するときには、同図（Ａ）（Ｂ）に示されるように、Ｃリング１１１が溝部１１２まで下降した後に、更に下降させようとすると、Ｃリング１１１がアダプタ１００の溝１１２の下辺部１１２ａに係合して、ヘッド本体１０はそれ以上下降しない。より詳細には、ヘッド本体１０を下降させると、Ｃリング１１１は溝部１１２で上辺部１１２ｂに接触しながら拡径していき（図６（Ｂ）の状態）、下辺部１１２ａで下降が止まる（図６（Ｃ）の状態）。本体１０のＣリング１１１が設けられている溝は、内壁上面が上方に向かって傾斜しており、この傾斜によりＣリング１１１はアダプタ１００側に押圧されるので、スプリンクラヘッド１がアダプタ１００から抜け落ちることはない。このようにＣリング１１１と溝１１２とが本発明の抜け防止機構を構成している。
【００１７】
ところで、スプリンクラヘッド１の垂直方向の位置は、アダプタ１００の雌ネジ１０１とフレーム２０の雄ネジ２１との係合状態によって調整されるが、その調整方法の具体例を次に図７に基づいて説明する。
【００１８】
図７（Ａ）〜（Ｃ）は、スプリンクラヘッド１の取り付け方法の説明図である。
スプリンクラヘッド１をヘッド取付配管２００に取り付ける（同図（Ａ））。このとき、スプリンクラヘッド１の下端部には保護キャップ１２２を取り付けておくものとする。そして、スプリンクラヘッド１の周りに、スプリンクラヘッド１が挿通される穴の空いた天井板が設置された後、保護キャップ１２２を外して、シーリングプレート１２０をフレーム２０に取り付ける（同図（Ｂ））。シーリングプレート１２０はフレーム２０の溝（キー溝）２２に係合しており、 シーリングプレート１２０を回転させることで、フレーム２０もそれに伴って回転し、スプリンクラヘッド１を程よい位置に調整することができる。なお、ここでは、シーリングプレート１２０の回動により位置調整する例について説明したが、保護キャップ１２２もフレーム２０の溝２２に係合させることができるため、保護キャップ１２２を、キー溝２２を介してフレーム２０に取り付けておくことにより、保護キャップ１２２を回動させることで位置調整を行うようにしても良い。その他の方法として、フレーム２０の溝２２に係合する専用の治具を用いる方法があり、専用の治具を回転させてスプリンクラヘッド１の高さを調節することが可能である。
なお、調整手段１０２が、アダプタ１００の上部内壁の雌ネジとヘッド本体１０のフランジより上部の雄ネジからなる場合、ヘッド本体１０を回転させることでスプリンクラヘッド１の高さを調節できる。その際、ヘッド本体１０はフレーム２０と接続されているため、フレーム２０を回動させることでヘッド本体１０を回転させて、スプリンクラヘッド１の高さの調節が可能である。
【００１９】
以上のように本実施の形態においては、アダプタ１００とフレーム２０との接続部に形成された調整手段１０２を備え、フレーム２０を回動させることにより垂直方向の位置が調整できるので、スプリンクラヘッド１の高さを適切な位置、例えば天井面１３０と面一にするための作業が簡単にでき、その作業性は優れたものとなっている。特に、シーリングプレート１２０、保護キャップ１２２又は専用治具を回転させるだけで、スプリンクラヘッド１の高さを調節できるので、天井板を外さずに、天井板の下からその調整の作業ができるので、従来の位置調整に比べて格段に優れたものとなっている。
【符号の説明】
【００２０】
１ スプリンクラヘッド、１０ ヘッド本体、２０ フレーム、２１ 雄ネジ、２２ 溝、３０ 弁体、４０ 散水部、５０ 弁体支持機構、５１ 感熱部、１００ アダプタ、１０２ 調整手段、１１０ Ｏリング、１０１ 雌ネジ、１１１ Ｃリング、１１２ 溝部、１１３ 傾斜部、１２０ シーリングプレート、１２１ 突起部、１２２ 保護キャップ、１３０ 天井面、２００ ヘッド取付配管。
【図１】
0005925010.tif 000002
【図２】
0005925010.tif 000003
【図３】
0005925010.tif 000004
【図４】
0005925010.tif 000005
【図５】
0005925010.tif 000006
【図６】
0005925010.tif 000007
【図７】
0005925010.tif 000008